(57)【要約】      （修正有）【課題】捕獲した蚊の卵が成虫となってケース外に逃げることを防止しやすい捕虫器を提供する。【解決手段】捕虫器１は、ケース２と捕獲蓋３とを備える。ケース２は、有底筒状に形成され、水を貯留するために用いられる。捕獲蓋３は、ケース２に取り付けられる。捕獲蓋３は、ケース２との間に、蚊を閉じ込める捕獲空間４を形成する。捕獲蓋３は、網部３０と蓋本体部３１とを有する。網部３０は、ケース２の開口部２０よりも下側に配され、蚊の卵の通過を許容しつつ蚊の通過を阻止する。蓋本体部３１は、網部３０を保持している。ケース２の底壁２１には、捕獲蓋３に向かって上下方向に延びるケース側案内部２２が形成されている。捕獲蓋３の蓋本体部３１には、ケース側案内部２２によって上下方向に案内される蓋側被案内部５が形成されている。【選択図】図２
0003227359.tif 000002
【実用新案登録請求の範囲】
【請求項１】
有底筒状に形成され、水を貯留するためのケースと、
前記ケースに取り付けられ、前記ケースとの間に、蚊を閉じ込める捕獲空間を形成する捕獲蓋と、を備え、
前記捕獲蓋は、前記ケースの開口部よりも下側に配され、蚊の卵の通過を許容しつつ蚊の通過を阻止する網部と、前記網部を保持する蓋本体部とを有し、
前記ケースの底壁には、前記捕獲蓋に向かって上下方向に延びるケース側案内部が形成されており、
前記捕獲蓋の前記蓋本体部には、前記ケース側案内部によって上下方向に案内される蓋側被案内部が形成されている、捕虫器。
【請求項２】
前記ケース側案内部は、前記ケースの前記底壁における中央位置に形成されており、前記蓋側被案内部は、前記蓋本体部における中央位置に形成されている、請求項１に記載の捕虫器。
【請求項３】
前記蓋本体部は、
前記蓋側被案内部が設けられた蓋中央部と、
前記網部の外周部を全周において保持する外枠部と、
前記蓋中央部と前記外枠部とを放射状に接続するとともに、前記網部を下側から支える複数のリブと、を備える、請求項２に記載の捕虫器。
【請求項４】
前記捕獲蓋における前記網部よりも下側には、前記ケース内に水が満たされたときに前記捕獲蓋に浮力を与えるための浮き部材が設けられている、請求項１〜３のいずれか一項に記載の捕虫器。
【考案の詳細な説明】
【技術分野】
【０００１】
本考案は、捕虫器に関する。
【背景技術】
【０００２】
特許文献１には、水を貯留するためのケースと、ケース内の水に沈められるとともに、前記ケースとの間に蚊を閉じ込める捕獲領域を形成する捕獲網とを備える捕虫器が開示されている。当該捕虫器においては、次のような原理で蚊が駆除される。
【０００３】
前記捕獲網は、蚊の好む黒色になっている。それゆえ、蚊は、捕獲網に引き寄せられ、水の溜まったケース内に産卵する。産卵された卵は、水中を落下してケースの底に向かう。そして、ケース内において、蚊の卵はボウフラにふ化し、ボウフラは、さなぎであるオニボウフラの状態を経て蚊に羽化する。成虫の蚊は、捕獲網を通過することができず、ケースの外部へ出られなくなり、やがてケース内で死滅する。
【先行技術文献】
【特許文献】
【０００４】
【特許文献１】特開２０１７−２００４６１号公報
【考案の概要】
【考案が解決しようとする課題】
【０００５】
特許文献１に記載の捕虫器においては、例えば不整地や斜面に配置された場合、水面がケースに対して傾き、これに伴って捕獲網も水面に伴って傾こうとする。捕獲網が傾くと、捕獲網とケースとの間に隙間が生じ、捕獲された蚊が隙間を通ってケース外に逃げるおそれがある。
【０００６】
本考案は、かかる課題に鑑みてなされたものであり、捕獲した蚊の卵が成虫となってケース外に逃げることを防止しやすい捕虫器を提供しようとするものである。
【課題を解決するための手段】
【０００７】
本考案の一態様は、有底筒状に形成され、水を貯留するためのケースと、
前記ケースに取り付けられ、前記ケースとの間に、蚊を閉じ込める捕獲空間を形成する捕獲蓋と、を備え、
前記捕獲蓋は、前記ケースの開口部よりも下側に配され、蚊の卵の通過を許容しつつ蚊の通過を阻止する網部と、前記網部を保持する蓋本体部とを有し、
前記ケースの底壁には、前記捕獲蓋に向かって上下方向に延びるケース側案内部が形成されており、
前記捕獲蓋の前記蓋本体部には、前記ケース側案内部によって上下方向に案内される蓋側被案内部が形成されている、捕虫器にある。
【考案の効果】
【０００８】
本形態の捕虫器において、ケースの底壁には、前記ケース側案内部が形成されており、捕獲蓋の蓋本体部には、ケース側案内部によって上下方向に案内される蓋側被案内部が形成されている。それゆえ、ケースに捕獲蓋が取り付けられた状態において、捕獲蓋がケースに対して傾くことが防止される。それゆえ、捕獲蓋とケースとの間に隙間が形成されることを防止することができ、その結果、一旦捕獲した蚊の卵が成虫となってケース外に逃げることを防止することができる。
【０００９】
以上のごとく、前記態様によれば、捕獲した蚊の卵が成虫となってケース外に逃げることを防止しやすい捕虫器を提供することできる。
【図面の簡単な説明】
【００１０】
【図１】実施形態１における、捕虫器の平面図。
【図２】図１の、II−II線矢視断面図。
【図３】図１の、III−III線矢視断面図。
【図４】図３の、リング部材付近を拡大した拡大断面図。
【図５】実施形態１における、捕虫器の分解断面図。
【図６】実施形態１における、水平地に配された捕虫器の使用状態を示す一部断面正面図。
【図７】実施形態１における、水平ではない地に配された捕虫器の使用状態を示す一部断面正面図。
【図８】比較形態における、水平ではない地に配された捕虫器の使用状態を示す一部断面正面図。
【図９】実施形態２における、捕虫器の平面図。
【図１０】図９の、Ｘ−Ｘ線矢視断面図。
【図１１】実施形態２における、浮き部材の斜視図。
【考案を実施するための形態】
【００１１】
（実施形態１）
捕虫器の実施形態について、図１〜図８を用いて説明する。
本形態の捕虫器１は、図１〜図３に示すごとく、ケース２と捕獲蓋３とを備える。ケース２は、有底筒状に形成され、図６、図７に示すごとく、水Ｗを貯留するために用いられる。図１〜図３に示すごとく、捕獲蓋３は、ケース２に取り付けられる。捕獲蓋３は、ケース２との間に、蚊を閉じ込める捕獲空間４を形成する。図２〜図４に示すごとく、捕獲蓋３は、網部３０と蓋本体部３１とを有する。網部３０は、ケース２の開口部２０よりも下側に配され、蚊の卵の通過を許容しつつ蚊の通過を阻止する。蓋本体部３１は、網部３０を保持している。
【００１２】
図２、図３に示すごとく、ケース２の底壁２１には、捕獲蓋３に向かって上下方向に延びるケース側案内部２２が形成されている。また、捕獲蓋３の蓋本体部３１には、ケース側案内部２２によって上下方向に案内される蓋側被案内部５が形成されている。本形態において、ケース側案内部２２は、上下方向に延びる円筒状に形成されており、蓋側被案内部５は、ケース側案内部２２に挿入可能な棒状に形成されている。
以後、本形態につき詳説する。
【００１３】
なお、上下方向とは、ケース２が開口する方向である。捕虫器１が水平地に配置された状態で使用された場合、上下方向は鉛直方向と同じとなる。また、捕虫器１の説明において、特に言及しないときは、ケース２と捕獲蓋３とが組み付いて、これらに重力以外の特別な力が加わっていない状態を意味するものとする。この状態は、図６、図７に示すごとく、捕獲蓋３が、後述するようにケース２内の水Ｗの浮力によって浮いた状態ではなく、図２、図３に示すごとく、ケース２の段部２３２に当接した状態として表される。
【００１４】
図２、図３、図５に示すごとく、ケース２は、上方に開口した有底筒状に形成されている。本形態において、ケース２は熱可塑性樹脂からなる。ケース２全体は、光を透過する性質を有する半透明の黒系統の色の熱可塑性樹脂からなる。ケース２を蚊の好む黒系統の色の樹脂によって構成することで、蚊をおびき寄せやすい。また、ケース２に光の透過性をもたせることで、ケース２外からケース２内の水量が把握できる。
【００１５】
ケース２の底壁２１は、上下方向に厚みを有する円板状に形成されている。ケース２の側壁２３は、底壁２１の外周縁の全周から上方に立設されている。
【００１６】
ケース２の側壁２３は、下側から順に、小径部２３１、段部２３２、及び大径部２３３を備える。小径部２３１は、底壁２１から上側に立設されており、上下方向において一定の径を有する。大径部２３３は、小径部２３１よりも上側に形成されているとともに、上下方向において一定の径を有する。大径部２３３は、小径部２３１よりも内径が大きくなるように形成されている。段部２３２は、小径部２３１の上端部と大径部２３３との下端部とを連結するよう段状に形成されている。
【００１７】
図１、図３に示すごとく、側壁２３の上端部には、外周側に突出する持ち手部２４が形成されている。持ち手部２４は、捕虫器１の使用者が捕虫器１を持ち運びする際に把持するための部位である。
【００１８】
図２、図３、図５に示すごとく、底壁２１の上面の中央部から上方に突出するようケース側案内部２２が形成されている。すなわち、本形態において、ケース２は１つのケース側案内部２２を備える。ケース側案内部２２は、上下方向に平行な円筒状に形成されている。ケース側案内部２２の上端位置は、ケース２の段部２３２よりも下側に位置している。ケース側案内部２２の内側空間の下端部は、底壁２１によって閉塞されている。ケース２は、底壁２１、側壁２３、持ち手部２４、及びケース側案内部２２を含む全体を一体に成形してなる。そして、ケース２内に、捕獲蓋３が取り付けられている。
【００１９】
図１〜図３に示すごとく、捕獲蓋３は、網部３０と網部３０を保持する蓋本体部３１とを備える。本形態において、網部３０及び蓋本体部３１は、例えば黒系統の色の熱可塑性樹脂からなる。蓋本体部３１は、光の透過性を有さない（すなわち不透明の）黒系統の色の樹脂からなるが、光の透過性を有していてもよい。捕獲蓋３全体は、水Ｗよりも比重が小さい材料からなり、水Ｗに浮くよう構成されている。
【００２０】
図２〜図５に示すごとく、蓋本体部３１は、外枠部３１１と、外枠部３１１との間に網部３０を挟み込むためのリング部材３１２と、図１、図２に示すような複数のリブ３１３と、を備える。
【００２１】
図４に示すごとく、外枠部３１１は、嵌入穴部３１１ａと外枠側壁部３１１ｂと外枠フランジ部３１１ｃとを備える。嵌入穴部３１１ａは、下側に向かって開口しており、その開口部２０からリング部材３１２を嵌入可能に形成されている。嵌入穴部３１１ａは、外枠部３１１の全周に形成されている。網部３０は、その外周部の全周が、リング部材３１２によって嵌入穴部３１１ａの内側に押し込まれることにより、外枠部３１１に保持されている。
【００２２】
捕獲蓋３の網部３０は、蚊の卵を通過させることができるとともに、成虫の蚊を通過させることができない網目の大きさに形成されている。具体的には、網部３０は、その網目が、角０．７ｍｍ以下の大きさに形成されている。例えば、網部３０は、角０．６７ｍｍの網目を有し、１インチ当たりの網目の数が３０個である３０メッシュのネット材によって形成してもよい。網部３０は、格子状に編まれた樹脂のネット材によって形成されており、網目は、正方形状の角穴として多数形成されている。網目の大きさが角０．７ｍｍ以下であることにより、ケース２と捕獲蓋３とに囲まれた捕獲空間４で育って成虫となった蚊は、網部３０をほとんど通過することができない。
【００２３】
図２〜図５に示すごとく、蓋本体部３１の外枠部３１１の外枠側壁部３１１ｂは、嵌入穴部３１１ａから上方に形成されている。外枠側壁部３１１ｂは、上方に向かうほど拡径するテーパ状に形成されている。これにより、蚊が外枠側壁部３１１ｂに止まりやすくなり、ケース２内での蚊の産卵を促しやすい。さらに、外枠側壁部３１１ｂは、内周側を向く面に微細な凹凸が設けられている。これにより、蚊が外枠側壁部３１１ｂにさらに止まりやすくなるとともに、産卵した卵が外枠側壁部３１１ｂに引っ掛かりやすい。
【００２４】
蓋本体部３１の外枠部３１１の外枠フランジ部３１１ｃは、外枠側壁部３１１ｂの上端から外周側に形成されている。外枠フランジ部３１１ｃは、蓋本体部３１の全周にわたって形成されており、下側に向かって開口した凹み形状を有する。これにより、捕虫器１のケース２内に水Ｗを満たしたとき、外枠フランジ部３１１ｃ内には空気が溜まり、これによって捕獲蓋３に浮力が働く。それゆえ、ケース２内に水Ｗが満たされた状態において、捕獲蓋３の全体が水の中に沈んで捕獲蓋３に蚊が止まれなくなることを防止することができる。
【００２５】
図２、図３に示すごとく、外枠フランジ部３１１ｃの外径は、ケース２の大径部２３３の内径よりも小さく、かつ、小径部２３１の内径よりも大きくなるよう形成されている。これにより、外枠フランジ部３１１ｃは、ケース２の段部２３２と上下方向に重なる位置に配され、例えばケース２内に水Ｗが入っていない状態においては、外枠フランジ部３１１ｃはケース２の段部２３２に当接する。
【００２６】
また、外枠フランジ部３１１ｃの上下方向の長さは、捕獲蓋３の上端位置がケース２の開口部２０の位置と同じ位置にある状態での、蓋側被案内部５におけるケース側案内部２２への上下方向の挿入長さよりも短い。これとは反し、外枠フランジ部３１１ｃの上下方向の長さを比較的長く形成すると、ケース２に対する捕獲蓋３の傾きを防止するガイドとして外枠フランジ部３１１ｃを利用することが可能となる反面、捕獲蓋３の外枠フランジ部３１１ｃがケース２の段部２３２に当接した状態における捕獲蓋３の位置がより上側の位置となり、網部３０が水Ｗ内に沈んだ状態が実現され難くなる。そこで、本形態の捕虫器１は、外枠フランジ部３１１ｃをある程度短くしつつ、ケース２の底壁２１にケース側案内部２２を設け、捕獲蓋３の蓋本体部３１にケース側案内部２２によって上下方向に案内される蓋側被案内部５を設けることにより、捕獲蓋３の傾きを防止している。
【００２７】
図１、図２に示すごとく、リング部材３１２の下面には、３つのリブ３１３が接続されている。３つのリブ３１３は、リング部材３１２の中央部からリング部材３１２に向けて放射状に形成されているとともに、網部３０の下部に沿って配されている。３つのリブ３１３は、網部３０を下側から支えている。
【００２８】
３つのリブ３１３の内周端部は、互いに内周端の蓋中央部３１４において接続されている。上下方向から見たとき、蓋中央部３１４は、リング部材３１２の中央位置に形成されている。３つのリブ３１３は、周方向において等間隔、すなわち、１２０°置きに形成されている。
【００２９】
図２〜図５に示すごとく、蓋中央部３１４は、上下方向に貫通する係合孔３１４ａを有する。係合孔３１４ａは、上方の内径が、下方の内径よりも大きくなる段状に形成されている。そして、係合孔３１４ａ内に、棒状の蓋側被案内部５が、脱着可能に挿入されている。
【００３０】
捕獲蓋３の蓋側被案内部５は、上下方向に延びる断面円形の棒状に形成されている。図５に示すごとく、蓋側被案内部５は、リブ３１３とは別体に形成されている。蓋側被案内部５は、上端部に、蓋中央部３１４の係合孔３１４ａに係合する一対の可撓片５１を有する。一対の可撓片５１は、互いに対向するよう形成されているとともに、互いの対向方向に撓むことができるように形成されている。そして、各可撓片５１の上端部には、相手側の可撓片５１と反対側に向かって突出する突起部５２が形成されている。蓋側被案内部５は、一対の可撓片５１を係合孔３１４ａに挿入することで、一対の可撓片５１が互いに近付くよう撓み、可撓片５１の突起部５２が係合孔３１４ａの段部分を通過することで、一対の可撓片５１は、その弾性力により互いに離れる側に復元する。これにより、蓋側被案内部５が係合孔３１４ａに係合固定される。
【００３１】
図２、図３に示すごとく、蓋側被案内部５は、ケース側案内部２２内に挿入されている。蓋側被案内部５の外径は、ケース側案内部２２の内径よりも若干小さく、蓋側被案内部５は、ケース側案内部２２内を上下に移動できるよう構成されている。これにより、捕獲蓋３に浮力が加わったときに、捕獲蓋３が上側に変位することが可能となり、捕獲蓋３の全体がケース２内に沈むことを防止することができる。また、ケース側案内部２２の内径と蓋側被案内部５の直径との差は、２ｍｍ以下であることが、捕獲蓋３の傾き抑制の観点から好ましい。
【００３２】
外枠フランジ部３１１ｃがケース２の段部２３２に当接した状態において、蓋側被案内部５の下端は、ケース側案内部２２の下端よりも上側に位置する。それゆえ、捕獲蓋３をケース２に組み付ける際に、蓋側被案内部５がケース２の底壁２１に衝突することに起因した衝撃が捕獲蓋３に加わることを防止することができる。
【００３３】
本形態の捕虫器１の使用例を説明する。
捕虫器１は、蚊、蚊の卵、及びボウフラの発生を抑制したい屋外又は屋内の所望の位置に配置して使用される。前述のごとく、捕虫器１は、全体的に蚊の好む黒系統の色であることから、蚊がケース２内に誘引される。
【００３４】
図６、図７に示すごとく、捕虫器１は、ケース２内に水Ｗを満たした状態で配置される。ケース２内の水Ｗは、水面ＷＳがケース２内における網部３０の上側までくるようケース２内に満たされる。蚊は、水Ｗが溜まっているところで産卵する習性を有するため、ケース２内の網部３０の上側まで水Ｗを満たすことで、ケース２内における蚊の産卵を促すことができる。
【００３５】
ここで、図６においては、水平な地面に捕虫器１を配置した状態を示し、図７においては、水平ではない地面（例えば傾斜面や不整地等）に捕虫器１を配置した状態を示している。図７に示すごとく、水平ではない地面に捕虫器１を配置して使用した場合、ケース２の中心軸Ｃ１は鉛直方向に対して傾くものの、ケース２内に満たされた水面ＷＳは水平となる。それゆえ、捕獲蓋３には、その姿勢を水平に近づけようとする浮力が働く。しかしながら、本形態においては、ケース側案内部２２及び蓋側被案内部５によって、捕獲蓋３の中心軸Ｃ２がケース２の中心軸Ｃ１に対して傾くことが防止される。
【００３６】
そして、捕虫器１における水面ＷＳ付近の例えば外枠側壁部３１１ｂの内周面に止まった蚊は、当該外枠側壁部３１１ｂに卵を産み付ける。前述のごとく、外枠側壁部３１１ｂには、表面に微細な凹凸が設けられているため、卵が引っ掛かりやすい。やがて蚊の卵は、テーパ状の外枠側壁部３１１ｂに沿って水中を沈むとともに、網部３０を通過し、ケース２の底壁２１に向かって沈む。
【００３７】
そして、蚊の卵は、水中において、産卵から約２〜５日でボウフラにふ化する。ボウフラは、ケース２内に溜まったゴミ等を餌として成長する。このとき、ボウフラは、呼吸するために水面ＷＳに向かうが、捕獲蓋３があるため水面ＷＳに上がって呼吸することができず、死滅する。あるいは、ボウフラは、捕獲蓋３における外枠フランジ部３１１ｃの下側にできる空気だまりＳを利用して呼吸をして成長し、さなぎであるオニボウフラの状態を経て成虫の蚊に羽化することもある。さらに、捕虫器１内に水Ｗを充填してからある程度の日数が経過して水面ＷＳが網部３０の下側に行った場合などは、ボウフラは水面ＷＳに上がって呼吸をして成長し、やがて蚊に羽化することもある。
【００３８】
ケース２内における捕獲蓋３の下側において発生した蚊は、ケース２の外に飛び去ろうとする。しかしながら、前述のごとく、網部３０の網目は、成虫の蚊が通り抜けることができない大きさに形成されているため、蚊は網部３０を通過することができず、ケース２内においてやがて死滅する。
【００３９】
また、水Ｗの中の卵が蚊の成虫に成長する前に、蚊の卵、ボウフラ、オニボウフラ等が含まれるケース２内の水Ｗを適切に処理することによって、蚊を死滅させることもできる。具体的には、ケース２内の水Ｗは、乾いたアスファルト、コンクリート等の上に、又は夏期の晴れの日の、高温に熱せられたアスファルト、コンクリート等の上に放水することにより、水Ｗの中の蚊の卵、ボウフラ、オニボウフラ等を死滅させることができる。また、ケース２内の水Ｗを何らかの方法によって高温に加熱することによっても、水Ｗの中の蚊の卵、ボウフラ、オニボウフラ等を死滅させることができる。
【００４０】
次に、本形態の作用効果につき説明する。
本形態の捕虫器１において、ケース２の底壁２１には、ケース側案内部２２が形成されており、捕獲蓋３の蓋本体部３１には、ケース側案内部２２によって上下方向に案内される蓋側被案内部５が形成されている。それゆえ、ケース２に捕獲蓋３が取り付けられた状態において、捕獲蓋３がケース２に対して傾くことが防止される。それゆえ、捕獲蓋３とケース２との間に隙間が形成されることを防止することができ、その結果、一旦捕獲した蚊の卵が成虫となってケース２外に逃げることを防止することができる。
【００４１】
一方で、図８に示すごとく、ケース側案内部２２及び蓋側被案内部５を備えない捕虫器９において、水平ではない地面に捕虫器９を配置して使用した場合、ケース２の中心軸Ｃ１は鉛直方向に対して傾くものの、ケース２内に満たされた水面ＷＳは水平となる。それゆえ、捕獲蓋３には、その姿勢を水平に近づけようとする浮力が働き、捕獲蓋３は水平となる。これにより、図８に示すように、捕獲蓋３の外枠フランジ部３１１ｃとケース２との間に隙間Ｃが形成され、当該隙間から成虫の蚊がケース２外に逃げてしまうおそれがある。そこで、本形態のように、ケース２の底壁２１にケース側案内部２２を形成し、捕獲蓋３に蓋側被案内部５を形成することで、前述のような隙間が形成されることを防止することができ、ケース２内で成虫となった蚊が捕虫器１から逃げることを防止することができる。
【００４２】
また、本形態の捕虫器１において、ケース側案内部２２は、ケース２の底壁２１における中央位置に形成されており、蓋側被案内部５は、蓋本体部３１における中央位置に形成されている。それゆえ、捕獲蓋３をケース２に組み付ける際、上下方向に沿ったケース２の中心軸を中心とした回転方向における捕獲蓋３の姿勢に関わらず、ケース側案内部２２に蓋側被案内部５を挿入させることができる。それゆえ、捕虫器１の組み付け作業を容易にしやすい。
【００４３】
また、捕獲蓋３は、網部３０を保持する蓋本体部３１を有する。蓋本体部３１は、網部３０の外周部を全周において保持する外枠部３１１と、外枠部３１１の中央部から外枠部３１１に向けて放射状に形成されるとともに、網部３０を下側から支える複数のリブ３１３と、複数のリブ３１３の内周端同士を接続する蓋中央部３１４から下側に延びる蓋側被案内部５と、を備える。これは、ケース側案内部２２及び蓋側被案内部５が、ケース２の中央位置にあるときに好適である。すなわち、捕獲蓋３に形成される蓋側被案内部５を、ケース２の中央位置に配するためには、外枠部３１１からケース２の中央に向けて蓋側被案内部５と外枠部３１１とを一体化する部位を延設する必要がある。そこで、当該部位を、網部３０を支えるためのリブ３１３とすることで、当該部位を有効活用することができる。
【００４４】
また、本形態の捕虫器１は、使用時において、ケース側案内部２２と蓋側被案内部５とが水中に配される。それゆえ、水がいわば潤滑剤の役割を果たし、ケース側案内部２２と蓋側被案内部５とが上下方向にスライドすることを促進させやすい。それゆえ、ケース側案内部２２と蓋側被案内部５との間にこじれが生じることを抑制することができる。
【００４５】
以上のごとく、本形態によれば、捕獲した蚊の卵が成虫となってケース外に逃げることを防止しやすい捕虫器を提供することできる。
【００４６】
（実施形態２）
本形態は、図９〜図１１に示すごとく、浮き部材６を設けた捕虫器１の実施形態である。
【００４７】
浮き部材６は、捕虫器１のケース２内に水が満たされたとき、捕獲蓋３を水に浮きやすくするためのものである。図９、図１０に示すごとく、浮き部材６は、捕獲蓋３の３つのリブ３１３と嵌合しているとともに、網部３０の下面に沿って配されている。浮き部材６は、例えば発砲ポリエチレン、エチレン酢酸ビニルコポリマー（ＥＶＡ）等の水に浮きやすい発泡体からなる。なお、浮き部材６は、捕獲蓋３より水に浮きやすければ発泡体に限定されない。
【００４８】
図９〜図１１に示すごとく、浮き部材６は、円環状に形成されている。浮き部材６は、蓋側被案内部５と同軸状に形成されている。浮き部材６の上面には、捕獲蓋３の３つのリブ３１３を１つずつ嵌入する３つの溝部６１が形成されている。３つの溝部６１は、周方向において等間隔（すなわち１２０°置き）に配されており、径方向に長尺に形成されている。溝部６１は、上方に向かって開放されているとともに、径方向の内周端及び外周端が開放されている。各溝部６１の溝幅は、そこに挿入されるリブ３１３の幅よりも若干小さく、浮き部材６は、その３つの溝部６１のそれぞれに３つのリブ３１３を１つずつ嵌入することで、複数のリブ３１３に取り付けられている。浮き部材６の上面は、網部３０の下面と対向している。浮き部材６は、各リブの径方向の中央位置よりも内周側に収まる程度に小径に形成されているが、これに限られない。
【００４９】
その他は、実施形態１と同様である。
なお、実施形態２以降において用いた符号のうち、既出の実施形態において用いた符号と同一のものは、特に示さない限り、既出の実施形態におけるものと同様の構成要素等を表す。
【００５０】
本形態において、捕獲蓋３における網部３０よりも下側には、ケース２内に水が満たされたときに捕獲蓋３に浮力を与えるための浮き部材６が設けられている。それゆえ、ケース２内に水を満たした時に、捕獲蓋３の大部分が水に沈んで水面近くに蚊が止まるスペースがなくなることを防止することができる。例えば、捕虫器１に水を満たした時、水面が網部３０よりも若干上側に位置するよう、浮き部材６の浮力を調整することが、蚊を止まりやすくして産卵を促す観点から好ましい。
その他、実施形態１と同様の作用効果を有する。
【００５１】
本考案は、前記各実施形態に限定されるものではなく、その要旨を逸脱しない範囲において種々の実施例に適用することが可能である。
【００５２】
例えば、前記各実施形態において、ケース及び捕獲蓋の蓋本体部は、樹脂製としたが、これに限られず、他の材料から構成することも可能である。
【００５３】
また、前記各実施形態において、ケースの底壁とケース側案内部とを一体的に成形する例を示したが、これに限られず、底壁とケース側案内部とを別体とし、底壁部に対してケース側案内部を接着、係合等することにより底壁とケース側案内部とを一体化してもよい。
【００５４】
また、前記各実施形態において、ケース及び捕獲蓋を黒系統の色としたが、これに限られず、他の色とすることができる。この場合、捕虫器を黒色にすること以外において蚊を引き寄せる手段（例えば蚊の好む紫外線、におい、二酸化炭素等のガスを発する、等）を施すことが好ましい。
【００５５】
また、前記各実施形態において、蓋本体部において蓋側被案内部とその他の部位を別体としたが、これらを一体に成形することも可能である。
【００５６】
また、前記各実施形態において、蓋側被案内部を円柱状、ケース側案内部を円筒状としたが、これに限られず、例えば蓋側被案内部を多角形柱状、ケース側案内部の内面を、前記蓋側被案内部を挿入可能な多角形筒状に形成することも可能である。
【００５７】
また、前記各実施形態において、ケース側案内部を筒状に形成し、蓋側被案内部をケース側案内部に挿入する棒状に形成したが、これに限られず、ケース側案内部を棒状に形成し、蓋側被案内部を、その内側にケース側案内部を挿入させる筒状に形成してもよい。
【符号の説明】
【００５８】
１  捕虫器
２  ケース
２０  開口部
２１  底壁
２２  ケース側案内部
３  捕獲蓋
３０  網部
３１  蓋本体部
３１１  外枠部
３１３  リブ
４  捕獲空間
５  蓋側被案内部
６  浮き部材
Ｗ  水
【図１】
0003227359.tif 000003
【図２】
0003227359.tif 000004
【図３】
0003227359.tif 000005
【図４】
0003227359.tif 000006
【図５】
0003227359.tif 000007
【図６】
0003227359.tif 000008
【図７】
0003227359.tif 000009
【図８】
0003227359.tif 000010
【図９】
0003227359.tif 000011
【図１０】
0003227359.tif 000012
【図１１】
0003227359.tif 000013